(57)【要約】      （修正有）【課題】机に簡単にとりつけて足元を温めることができる保温具を提供する。【解決手段】保温具１０は、例えば、机の側部に周方向に沿って巻き付けることにより、机の側部を覆う第１覆い部１１、第２覆い部１２、及び、第３覆い部１３を備える。第１覆い部１１及び第３覆い部１３の高さは、机の側部の開口の全体を覆うことが可能な長さであり、第２覆い部１２の高さは、椅子に座った人の膝よりも下側を覆うことが可能な長さである。第１覆い部１１には、周方向において所定の間隔をあけ、高さ方向において下端部から少なくとも膝の高さに対応する位置までを切り込んだ複数の切込み１１Ｄが設けられている。【選択図】図１
0003193596.tif 000002
【実用新案登録請求の範囲】
【請求項１】
椅子を使用する机に用いる保温具であって、
前記机の側部に周方向に沿って巻き付けることにより、前記机の側部を覆う第１覆い部と、第２覆い部とを備え、
前記第１覆い部は、前記机の高さ方向の長さが、前記机の側部における開口の３／４以上を覆うことが可能な長さであり、前記机の周方向の長さが、１周の少なくとも一部以上を覆うことが可能な長さであり、
前記第２覆い部は、前記机の高さ方向の長さが、前記椅子に座った人の膝よりも下側を覆うことが可能な長さであり、前記机の周方向の長さが、１周の少なくとも一部以上を覆うことが可能な長さであり、
前記第１覆い部及び前記第２覆い部には、前記第１覆い部又は前記第２覆い部を前記机に巻き付けて固定するための取付部材がそれぞれ設けられ、
前記第１覆い部には、前記椅子に座った人が脚を挿入することができるように、周方向において所定の間隔をあけ、高さ方向において下端部から少なくとも膝の高さに対応する位置までを切り込んだ複数の切込みが設けられると共に、この各切込みにより分割された複数の分割部が設けられた
ことを特徴とする保温具。
【請求項２】
前記分割部の周方向における幅は、膝に対応する部分よりも下端部の方が広いことを特徴とする請求項１記載の保温具。
【請求項３】
前記机の側部に張り付けて、前記第１覆い部又は前記第２覆い部が滑り落ちることを防止する滑り止め部材を備えたことを特徴とする請求項１又は請求項２記載の保温具。
【請求項４】
前記第１覆い部及び前記第２覆い部の外側から、前記机の側部に周方向に沿って巻き付けて、前記机の側部を覆う第３覆い部を備え、
前記第３覆い部は、切込みのない連続体よりなり、前記机の高さ方向の長さが、前記机の側部における開口の３／４以上を覆うことが可能な長さであり、前記机の周方向の長さが、１周の少なくとも一部以上を覆うことが可能な長さである
ことを特徴とする請求項１から請求項３のいずれか１に記載の保温具。
【考案の詳細な説明】
【技術分野】
【０００１】
本考案は、食卓や居間用の既存の机に簡単に取り付けることができる保温具に関する。
【背景技術】
【０００２】
近年、椅子に座って使用する机が広く用いられているが、冬場は床付近に冷気が滞留して足元が寒くなってしまう。そこで、机をこたつ布団などで覆い、机の下に温風暖房器等から温風を引き込んで足元を温めることが提案されている（例えば、特許文献１参照）。しかしながら、従来のこたつ布団では、例えば、こたつに入る時にこたつ布団の側面全体を持ち上げていたので、椅子を使用する場合には、こたつ布団が大きく持ち上げられてしまい、足元から冷気が入り込んで寒いという問題があった。また、机の大きさは様々であるため、既存の机に合う大きさのこたつ布団を用意することが難しいという問題もあった。更に、こたつ布団は机の上から机全体を覆うようにかけるので、こたつ布団の上に載せる天板が必要であるという問題もあった。なお、これらの問題は、机の上面の裏側にヒータ等の加熱装置を取り付けられたこたつについても同様であった。
【先行技術文献】
【特許文献】
【０００３】
【特許文献１】実登３０６３５７２号公報
【考案の概要】
【考案が解決しようとする課題】
【０００４】
本考案は、このような問題に基づきなされたものであり、机に簡単にとりつけて足元を温めることができる保温具を提供することを目的とする。
【課題を解決するための手段】
【０００５】
本考案の保温具は、椅子を使用する机に用いるものであって、机の側部に周方向に沿って巻き付けることにより、机の側部を覆う第１覆い部と、第２覆い部とを備え、第１覆い部は、机の高さ方向の長さが、机の側部における開口の３／４以上を覆うことが可能な長さであり、机の周方向の長さが、１周の少なくとも一部以上を覆うことが可能な長さであり、第２覆い部は、机の高さ方向の長さが、椅子に座った人の膝よりも下側を覆うことが可能な長さであり、机の周方向の長さが、１周の少なくとも一部以上を覆うことが可能な長さであり、第１覆い部及び第２覆い部には、第１覆い部又は第２覆い部を机に巻き付けて固定するための取付部材がそれぞれ設けられ、第１覆い部には、椅子に座った人が脚を挿入することができるように、周方向において所定の間隔をあけ、高さ方向において下端部から少なくとも膝の高さに対応する位置までを切り込んだ複数の切込みが設けられると共に、この各切込みにより分割された複数の分割部が設けられたものである。
【考案の効果】
【０００６】
本考案によれば、机の側部における開口の３／４以上を覆い、下端部から少なくとも膝の高さに対応する位置までを切り込んだ複数の切込みが設けられた第１覆い部を備えるようにしたので、椅子に座った状態で、脚を切込みから机の下に挿入することができる。よって、第１覆い部が大きく捲り上げられることがなく、足元から冷気が入り込むことを抑制することができる。また、椅子に座った人の膝よりも下側を覆う第２覆い部を備えるようにしたので、第１覆い部の切込みから脚を挿入することにより、切込みが広がって隙間ができたとしても、第２覆い部により冷気が入り込むことを抑制することができる。
【０００７】
更に、第１覆い部及び第２覆い部に、第１覆い部又は第２覆い部を机に巻き付けて固定するための取付部材をそれぞれ設けるようにしたので、第１覆い部及び第２覆い部を机の周方向に沿って巻き付けて取付部材により簡単に取り付けることができる。加えて、机の大きさに合わせて、複数の第１覆い部及び複数の第２覆い部を例えばつなげて、又は、一部重ね合わせて巻くことにより、様々な大きさの机に対応することができる。更にまた、第１覆い部及び第２覆い部を机の側部に巻き、上面は覆わないので、天板を不要とすることができる。
【０００８】
加えてまた、分割部の周方向における幅は、膝に対応する部分よりも下端部の方を広くするようにすれば、第１覆い部の切込みから脚を挿入することによりできる隙間を小さくすることができる。
【０００９】
更にまた、机の側部に張り付ける滑り止め部材を備えるようにすれば、第１覆い部及び第２覆い部が滑り落ちることを防止することができる。
【００１０】
加えてまた、第１覆い部及び第２覆い部の外側から、机の側部に周方向に沿って巻き付けて、机の側部を覆う第３覆い部を備えるようにすれば、第１覆い部の切込みから冷気が入り込むことを抑制することができる。
【図面の簡単な説明】
【００１１】
【図１】本考案の一実施の形態に係る保温具の構成を分解して表す図である。
【図２】本考案の一実施の形態に係る保温具の構成を分解して表す他の図である。
【図３】図１に示した保温具の一部の構成を取り出して表す図である。
【図４】図１に示した保温具の机への取付構成を表す図である。
【図５】図１に示した保温具を机に取り付けた状態を表す図である。
【考案を実施するための形態】
【００１２】
以下、本考案の実施の形態について、図面を参照して詳細に説明する。
【００１３】
図１及び図２は、本考案の一の実施の形態に係る保温具１０の構成を分解して表すものである。図３は、図１に示した保護具１の一部の構成を取り出して表すものである。図４は、図１に示した保温具１０の机２０への取付構造を表すものである。図５は、図１に示した保温具１０を机２０に取り付けた状態を表すものであり、（Ａ）は斜視図、（Ｂ）は断面図である。この保温具１０は椅子を使用する机２０に用いるものであり、机２０の側部に周方向に沿って巻き付けることにより、机２０の側部を覆う第１覆い部１１と、第２覆い部１２とを備え、更に、第１覆い部１１及び第２覆い部１２の外側から、机２０の側部に周方向に沿って巻き付けて、机２０の側部を覆う第３覆い部１３を備えていることが好ましい。
【００１４】
第１覆い部１１は、机２０の高さ方向の長さが、机２０の側部における開口２１の３／４以上を覆うことが可能な長さであり、机２０の周方向の長さが、１周の少なくとも一部以上を覆うことが可能な長さとされている。第２覆い部１２は、机２０の高さ方向の長さが、椅子に座った人の膝よりも下側を覆うことが可能な長さであり、机２０の周方向の長さが、１周の少なくとも一部以上を覆うことが可能な長さとされている。第３覆い部１３は、例えば、机２０の高さ方向の長さが、机２０の側部における開口２１の３／４以上を覆うことが可能な長さであり、机２０の周方向の長さが、１周の少なくとも一部以上を覆うことが可能な長さとされている。なお、第１覆い部１１及び第３覆い部１３において、机２０の高さ方向の長さは、開口２１の全体を覆うようにすれば好ましく、開口２１よりも長くし、床にたるみができるようにしてもよい。具体的には、例えば、第１覆い部１１及び第３覆い部１３の高さ方向の長さは、６０ｃｍから８０ｃｍ程度、周方向の長さは、４ｍ６０ｃｍから５ｍ８０ｃｍ程度であり、第２覆い部１２の高さ方向の長さは、３５ｃｍから４５ｃｍ程度、周方向の長さは、４ｍ６０ｃｍから５ｍ８０ｃｍ程度である。
【００１５】
第１覆い部１１、第２覆い部１２、及び、第３覆い部１３には、これらを机２０に巻き付けて固定するための取付部材１１Ａ，１２Ａ，１３Ａがそれぞれ設けられている。取付部材１１Ａ，１２Ａ，１３Ａとしては、例えば、紐状部材、面状ファスナー、ボタン、又は、フックが挙げられる。これらの取付部材１１Ａ，１２Ａ，１３Ａは、例えば、第１覆い部１１、第２覆い部１２、又は、第３覆い部１３の上端部に配設され、対応する取付部材１１Ａ，１２Ａ，１３Ａ同士を結合することにより、第１覆い部１１、第２覆い部１２、又は、第３覆い部１３を巻き付けた状態で固定することができるようになっている。
【００１６】
具体的には、例えば図１に示したように、取付部材１１Ａ，１２Ａ，１３Ａを紐状部材により構成し、第１覆い部１１、第２覆い部１２、又は、第３覆い部１３の上端部に取付部材１１Ａ，１２Ａ，１３Ａを挿入するための筒状の通し部１１Ｂ，１２Ｂ，１３Ｂをそれぞれ設け、この通し部１１Ｂ，１２Ｂ，１３Ｂに取付部材１１Ａ，１２Ａ，１３Ａを挿入するようにしてもよい。通し部１１Ｂ，１２Ｂ，１３Ｂには、例えば、取付部材１１Ａ，１２Ａ，１３Ａを挿入するための挿入口１１Ｃ，１２Ｃ，１３Ｃが両端部にそれぞれ設けられると共に、両端部より内側にも複数設けられていることが好ましい。机２０の１周の長さよりも第１覆い部１１、第２覆い部１２、又は、第３覆い部１３の周方向の長さが長い場合に、両端部よりも内側に設けられた挿入口１１Ｃ，１２Ｃ，１３Ｃから取付部材１１Ａ，１２Ａ，１３Ａを引き出して、結ぶことにより、取り付けることができるからである。
【００１７】
また、例えば図２に示したように、取付部材１１Ａ，１２Ａ，１３Ａを紐状部材により構成し、第１覆い部１１、第２覆い部１２、又は、第３覆い部１３の上端両端部に取付部材１１Ａ，１２Ａ，１３Ａをそれぞれ配設すると共に、第１覆い部１１、第２覆い部１２、又は、第３覆い部１３の上端中央部の内側と外側にそれぞれ取付部材１１Ａ，１２Ａ，１３Ａを配設し、一端部の取付部材１１Ａ，１２Ａ，１３Ａと上端中央部内側の取付部材１１Ａ，１２Ａ，１３Ａを結び、他端部の取付部材１１Ａ，１２Ａ，１３Ａと上端中央部外側の取付部材１１Ａ，１２Ａ，１３Ａを結ぶことにより固定するようにしてもよい。なお、図２では、第１覆い部１１を代表して示している。更に、取付部材１１Ａ，１２Ａ，１３Ａを紐状部材に変えて、又は、紐状部材と共に、面状ファスナー、ボタン、又は、フックにより構成してもよい。
【００１８】
第１覆い部１１には、椅子に座った人が脚を挿入することができるように、周方向において所定の間隔をあけ、高さ方向において下端部から少なくとも膝の高さに対応する位置までを切り込んだ複数の切込み１１Ｄが設けられると共に、この各切込み１１Ｄにより分割された複数の分割部１１Ｅが設けられている。各切込み１１Ｄは、膝の高さに対応する位置まで設けられていればよいが、上端近傍まで設けられていてもよい。各分割部１１Ｅの周方向における幅は、膝に対応する部分よりも下端部の方が広く構成されていることが好ましい。切込み１１Ｄに脚を挿入しても、切込み１１Ｄが広がることによりできる隙間を小さくすることができるからである。
【００１９】
例えば、図３（Ａ）に示したように、膝に対応する部分に脚を挿入する凹部を設けるようにしてもよく、図３（Ｂ）に示したように、上端部及び下端部から膝に対応する部分に向かって弓なり状に幅を狭くするようにしてもよく、図３（Ｃ）に示したように、膝に対応する部分よりも下側を徐々に幅広にするようにしてもよい。また、各分割部１１Ｅは、図３に示したように、周方向において一部が重なり合うようにしてもよい。第２覆い部１２及び第３覆い部１３は、例えば、切込みのない連続体により構成されることが好ましい。その場合、図３では、左から右に向かい外側に一部を順に重ねるように配置したが、右から左に向かい外側に一部を順に重ねるようにしてもよく、また、外側と内側に交互に一部を重ねるようにしてもよい。なお、第１覆い部１１、第２覆い部１２、又は、第３覆い部１３は、１枚または複数枚の生地を重ねた布地や、中に綿を入れたキルティング生地により構成するようにしてもよい。
【００２０】
また、この保温具１０は、例えば、机２０の側部に張り付けて、第１覆い部１１、第２覆い部１２、又は、第３覆い部１３が滑り落ちることを防止する滑り止め部材１４を備えていることが好ましい。滑り止め部材１４は、例えば、５ｍｍから１０ｍｍ程度の厚みを有するゴムよりなる板部材により構成することが好ましく、机２０の側部、例えば、足２２や幕板２３に対して両面テープ等により貼り付けることが好ましい。このように滑り止め部材１４を机２０の側部に貼ることにより、机２０の側部に滑り止め部材１４の厚み分の段差を形成することができ、この段差に例えば第１覆い部１１、第２覆い部１２、又は第３覆い部１３の上端部を引掛けることにより、滑り落ちることを防止することができるようになっている。
【００２１】
なお、この保温具１０を用いることができる机２０は、図３では４本足のものを示したが、第１覆い部１１、第２覆い部１２、又は、第３覆い部１３を巻き付けることができるものであればどのようなものでもよい。例えば、３本以上の足を有するものや、２本以上の板状足部を有するものでもよい。
【００２２】
この保温具１０は、例えば、次のようにして用いることができる。まず、机２０の側部に、第１覆い部１１、第２覆い部１２、又は、第３覆い部１３を巻き付ける上端部の位置に合わせて滑り止め部材１４を貼り付ける。次いで、机２０の下側を覆うように、第２覆い部１２を巻き付ける。続いて、机２０の側部の開口２１の少なくとも上側を覆うように、第１覆い部１１を巻き付ける。そののち、必要に応じて、第２覆い部１２及び第１覆い部１１の上から、第３覆い部１３を巻き付ける。なお。第１覆い部１１、第２覆い部１２、又は第３覆い部１３の周方向の長さが、机２０の周方向の１周よりも短い場合には、例えば、複数枚をつなげて、又は、一部重ねて巻き付けるようにする。また、第１覆い部１１、第２覆い部１２、又は第３覆い部１３の周方向の長さが、机２０の周方向の１周よりも長い場合には、例えば、両端部を重ね合わせて巻き付けるようにする。このようにして保温具１０を取り付けた机２０の下に脚を入れる際には、例えば、第３覆い部１３を捲り、第１覆い部１１の切込み１１Ｄの間から脚を入れる。
【００２３】
このように本実施の形態によれば、机２０の側部における開口２１の３／４以上を覆い、下端部から少なくとも膝の高さに対応する位置までを切り込んだ複数の切込み１１Ｄが設けられた第１覆い部１１を備えるようにしたので、椅子に座った状態で、脚を切込み１１Ｄから机２０の下に挿入することができる。よって、第１覆い部１１が大きく捲り上げられることがなく、足元から冷気が入り込むことを抑制することができる。また、椅子に座った人の膝よりも下側を覆う第２覆い部１２を備えるようにしたので、第１覆い部１１の切込み１１Ｄから脚を挿入することにより、切込み１１Ｄが広がって隙間ができたとしても、第２覆い部１２により冷気が入り込むことを抑制することができる。
【００２４】
更に、第１覆い部１１及び第２覆い部１２に、第１覆い部１１又は第２覆い部１２を机２０に巻き付けて固定するための取付部材１１Ａ，１２Ａをそれぞれ設けるようにしたので、第１覆い部１１及び第２覆い部１２を机２０の周方向に沿って巻き付けて取付部材１１Ａ，１２Ａにより簡単に取り付けることができる。加えて、机２０の大きさに合わせて、複数の第１覆い部１１及び複数の第２覆い部１２を例えばつなげて、又は、一部重ね合わせて巻くことにより、様々な大きさの机２０に対応することができる。更にまた、第１覆い部１１及び第２覆い部１２を机２０の側部に巻き、上面は覆わないので、天板を不要とすることができる。
【００２５】
加えてまた、分割部１１Ｅの周方向における幅は、膝に対応する部分よりも下端部の方を広くするようにすれば、第１覆い部１１の切込み１１Ｄから脚を挿入することによりできる隙間を小さくすることができる。
【００２６】
更にまた、第１覆い部１１及び第２覆い部１２の外側から、机２０の側部に周方向に沿って巻き付けて、机２０の側部を覆う第３覆い部１３を備えるようにすれば、第１覆い部１１の切込み１１Ｄから冷気が入り込むことを抑制することができる。
【００２７】
加えてまた、机２０の側部に張り付ける滑り止め部材１４を備えるようにすれば、第１覆い部１１、第２覆い部１２、及び、第３覆い部１３が滑り落ちることを防止することができる。
【００２８】
以上、実施の形態を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２９】
１０…保温具、１１…第１覆い部、１１Ａ…取付部材、１１Ｂ…通し部、１１Ｃ…挿入口、１１Ｄ…切込み、１１Ｅ…分割部、１２…第２覆い部、１２Ａ…取付部材、１２Ｂ…通し部、１２Ｃ…挿入口、１３…第３覆い部、１３Ａ…取付部材、１３Ｂ…通し部、１３Ｃ…挿入口、１４…滑り止め部材、２０…机、２１…開口、２２…足、２３…幕板
【図１】
0003193596.tif 000003
【図２】
0003193596.tif 000004
【図３】
0003193596.tif 000005
【図４】
0003193596.tif 000006
【図５】
0003193596.tif 000007